【手続補正書】
【提出日】平成28年5月4日(2016.5.4)
【手続補正１】
【補正対象書類名】特許請求の範囲
【補正対象項目名】全文
【補正方法】変更
【補正の内容】
【特許請求の範囲】
【請求項１】
一対の電極間に、第１の発光層乃至第３の発光層を有し、
前記第１の発光層は、第１のりん光性化合物と、第１のホスト材料とを有し、
前記第２の発光層は、第２のりん光性化合物と、第２のホスト材料とを有し、
前記第３の発光層は、第３のりん光性化合物と、第３のホスト材料とを有し、
前記第１のりん光性化合物は、青色発光を呈し、
前記第２のりん光性化合物は、４４０ｎｍ乃至５２０ｎｍの波長範囲にε（λ）λ４で表される関数の最も長波長側に位置する極大値Ａを有し、
前記第２のりん光性化合物は、前記第１のりん光性化合物よりも長波長の発光を呈し、
前記第３のりん光性化合物は、５２０ｎｍ乃至６００ｎｍの波長範囲にε（λ）λ４で表される関数の最も長波長側に位置する極大値Ｂを有し、
前記第３のりん光性化合物は、前記第２のりん光性化合物よりも長波長の発光を呈し、
前記λは、波長を表し、
前記ε（λ）は、各りん光性化合物のモル吸光係数を表し、
前記第２の発光層は、１ｎｍ以上５ｎｍ未満の膜厚を有する発光素子。
【請求項２】
一対の電極間に、第１の発光層乃至第３の発光層を有し、
前記第１の発光層は、第１のりん光性化合物と、第１のホスト材料とを有し、
前記第２の発光層は、第２のりん光性化合物と、第２のホスト材料とを有し、
前記第３の発光層は、第３のりん光性化合物と、第３のホスト材料とを有し、
前記第１のりん光性化合物は、青色発光を呈し、
前記第２のりん光性化合物は、４４０ｎｍ乃至５２０ｎｍの波長範囲にε（λ）λ４で表される関数の最も長波長側に位置する極大値Ａを有し、
前記第２のりん光性化合物は、５２０ｎｍ乃至６００ｎｍの波長範囲に発光スペクトルのピークを有し、
前記第３のりん光性化合物は、５２０ｎｍ乃至６００ｎｍの波長範囲にε（λ）λ４で表される関数の最も長波長側に位置する極大値Ｂを有し、
前記第３のりん光性化合物は、前記第２のりん光性化合物よりも長波長の発光を呈し、
前記λは、波長を表し、
前記ε（λ）は、各りん光性化合物のモル吸光係数を表し、
前記第２の発光層は、１ｎｍ以上５ｎｍ未満の膜厚を有する発光素子。
【請求項３】
請求項１または請求項２において、
前記第１の発光層は電子輸送性を有し、
前記第２の発光層及び前記第３の発光層は正孔輸送性を有する発光素子。
【請求項４】
請求項１または請求項２において、
前記第１の発光層は正孔輸送性を有し、
前記第２の発光層及び前記第３の発光層は電子輸送性を有する発光素子。
【請求項５】
請求項１乃至４のいずれか一において、
前記第１の発光層は、前記第２の発光層に接しており、
前記第２の発光層は、前記第３の発光層に接している発光素子。
【請求項６】
請求項１乃至５のいずれか一において、
前記第２の発光層は、１ｎｍ以上２ｎｍ以下の膜厚を有する発光素子。
【請求項７】
一対の電極間に、第１の発光層、複数の第２の島状発光領域、及び第３の発光層を有し、
前記第１の発光層は、第１のりん光性化合物と、第１のホスト材料とを有し、
前記第２の島状発光領域は、第２のりん光性化合物と、第２のホスト材料とを有し、
前記第３の発光層は、第３のりん光性化合物と、第３のホスト材料とを有し、
前記第１のりん光性化合物は、青色発光を呈し、
前記第２のりん光性化合物は、４４０ｎｍ乃至５２０ｎｍの波長範囲にε（λ）λ４で表される関数の最も長波長側に位置する極大値Ａを有し、
前記第２のりん光性化合物は、前記第１のりん光性化合物よりも長波長の発光を呈し、
前記第３のりん光性化合物は、５２０ｎｍ乃至６００ｎｍの波長範囲にε（λ）λ４で表される関数の最も長波長側に位置する極大値Ｂを有し、
前記第３のりん光性化合物は、前記第２のりん光性化合物よりも長波長の発光を呈し、
前記λは、波長を表し、
前記ε（λ）は、各りん光性化合物のモル吸光係数を表し、
前記第２の島状発光領域は、前記第１の発光層と前記第３の発光層との間に存在している発光素子。
【請求項８】
一対の電極間に、第１の発光層、複数の第２の島状発光領域、及び第３の発光層を有し、
前記第１の発光層は、第１のりん光性化合物と、第１のホスト材料とを有し、
前記第２の島状発光領域は、第２のりん光性化合物と、第２のホスト材料とを有し、
前記第３の発光層は、第３のりん光性化合物と、第３のホスト材料とを有し、
前記第１のりん光性化合物は、青色発光を呈し、
前記第２のりん光性化合物は、４４０ｎｍ乃至５２０ｎｍの波長範囲にε（λ）λ４で表される関数の最も長波長側に位置する極大値Ａを有し、
前記第２のりん光性化合物は、５２０ｎｍ乃至６００ｎｍの波長範囲に発光スペクトルのピークを有し、
前記第３のりん光性化合物は、５２０ｎｍ乃至６００ｎｍの波長範囲にε（λ）λ４で表される関数の最も長波長側に位置する極大値Ｂを有し、
前記第３のりん光性化合物は、前記第２のりん光性化合物よりも長波長の発光を呈し、
前記λは、波長を表し、
前記ε（λ）は、各りん光性化合物のモル吸光係数を表し、
前記第２の島状発光領域は、前記第１の発光層と前記第３の発光層との間に存在している発光素子。
【請求項９】
一対の電極間に、第１の発光層、複数の第２の島状発光領域、及び複数の第３の島状発光領域を有し、
前記第１の発光層は、第１のりん光性化合物と、第１のホスト材料とを有し、
前記第２の島状発光領域は、第２のりん光性化合物と、第２のホスト材料とを有し、
前記第３の島状発光領域は、第３のりん光性化合物と、第３のホスト材料とを有し、
前記第１のりん光性化合物は、青色発光を呈し、
前記第２のりん光性化合物は、４４０ｎｍ乃至５２０ｎｍの波長範囲にε（λ）λ４で表される関数の最も長波長側に位置する極大値Ａを有し、
前記第２のりん光性化合物は、前記第１のりん光性化合物よりも長波長の発光を呈し、
前記第３のりん光性化合物は、５２０ｎｍ乃至６００ｎｍの波長範囲にε（λ）λ４で表される関数の最も長波長側に位置する極大値Ｂを有し、
前記第３のりん光性化合物は、前記第２のりん光性化合物よりも長波長の発光を呈し、
前記λは、波長を表し、
前記ε（λ）は、各りん光性化合物のモル吸光係数を表し、
前記複数の第２の島状発光領域及び前記複数の第３の島状発光領域は所望の割合で一定の厚さの中に混在して層を形成し、
前記複数の第２の島状発光領域及び前記複数の第３の島状領域が混在する層の一方の面は前記第１の発光層と接している発光素子。
【請求項１０】
一対の電極間に、第１の発光層、複数の第２の島状発光領域、及び複数の第３の島状発光領域を有し、
前記第１の発光層は、第１のりん光性化合物と、第１のホスト材料とを有し、
前記第２の島状発光領域は、第２のりん光性化合物と、第２のホスト材料とを有し、
前記第３の島状発光領域は、第３のりん光性化合物と、第３のホスト材料とを有し、
前記第１のりん光性化合物は、青色発光を呈し、
前記第２のりん光性化合物は、４４０ｎｍ乃至５２０ｎｍの波長範囲にε（λ）λ４で表される関数の最も長波長側に位置する極大値Ａを有し、
前記第２のりん光性化合物は、５２０ｎｍ乃至６００ｎｍの波長範囲に発光スペクトルのピークを有し、
前記第３のりん光性化合物は、５２０ｎｍ乃至６００ｎｍの波長範囲にε（λ）λ４で表される関数の最も長波長側に位置する極大値Ｂを有し、
前記第３のりん光性化合物は、前記第２のりん光性化合物よりも長波長の発光を呈し、
前記λは、波長を表し、
前記ε（λ）は、各りん光性化合物のモル吸光係数を表し、
前記複数の第２の島状発光領域及び前記複数の第３の島状発光領域は所望の割合で一定の厚さの中に混在して層を形成し、
前記複数の第２の島状発光領域及び前記複数の第３の島状領域が混在する層の一方の面は前記第１の発光層と接している発光素子。
【請求項１１】
請求項７乃至１０のいずれか一において、
前記第１のホスト材料は電子輸送性を有し、
前記第２のホスト材料及び前記第３のホスト材料は正孔輸送性を有する発光素子。
【請求項１２】
請求項７乃至１０のいずれか一において、
前記第１のホスト材料は正孔輸送性を有し、
前記第２のホスト材料及び前記第３のホスト材料は電子輸送性を有する発光素子。
【請求項１３】
請求項１乃至１２のいずれか一において、
前記極大値Ａに比べて前記極大値Ｂの方が大きいことを特徴とする発光素子。
【請求項１４】
請求項１乃至１３のいずれか一に記載の発光素子を有する照明装置。
【請求項１５】
請求項１乃至１３のいずれか一に記載の発光素子と、前記発光素子を制御する手段と、を備えた発光装置。
【請求項１６】
請求項１乃至１３のいずれか一に記載の発光素子を表示部に有し、前記発光素子を制御する手段を備えた表示装置。
【請求項１７】
請求項１乃至１３のいずれか一に記載の発光素子を有する電子機器。